(57)【要約】【課題】シーリングすべき建築部材の端部や接合部が白色であろうとなかろうと充分な蓄光性能、発光性能を発揮して暗闇の中で誘導表示の役目をする建築部材の端部又は接合部のシーリング構造とその容器入りシーリング材を提供する。【解決手段】建築部材１の端部又は接合部をシーリング材３で被覆したシーリング構造であって、シーリング材の露出表面の表層部３ａに蓄光性発光体が含有され、表層部より裏側部分３ｂに白色顔料が含有された構成のシーリング構造とする。裏側部分３ｂの白色顔料の光反射で表層部３ａの蓄光性発光体の蓄光作用や発光作用が助長され、建築部材１の端部等が白色であろうとなかろうと発光輝度や残光時間が向上して誘導表示の役目を果す。容器入りシーリング材は蓄光性発光体含有シーリング材と白色顔料含有シーリング材を一つの容器内に二つ又は二つの容器に区分けしてノズルから同時に押出されるように詰めた構成とする。【選択図】  図２
2005068674.tif 000002
【特許請求の範囲】
【請求項１】
建築部材の端部又は接合部がシーリング材で被覆されたシーリング構造であって、上記シーリング材の露出表面の表層部に蓄光性発光体が含有されており、表層部より裏側部分に白色顔料が含有されていることを特徴とする、建築部材の端部又は接合部のシーリング構造。
【請求項２】
シーリング基材に蓄光性発光体を含有させた蓄光性発光体含有シーリング材と、シーリング基材に白色顔料を含有させた白色顔料含有シーリング材とが、一つの容器内で二つに又は二つの容器に区分けされて、一つのノズルから同時に押し出されるように詰められていることを特徴とする、容器入りシーリング材。
【発明の詳細な説明】
【０００１】
【発明の属する技術分野】
本発明は、建築部材の端部又は接合部のシーリング構造とこれに用いる容器入りシーリング材に関する。
【０００２】
【従来の技術】
建築部材、例えば階段用床材などは、昇降時の滑り防止や衝撃音の低下に有効であるため、近年、階段の表面に貼着されることが多くなってきた。このような階段においては、階段用床材の周縁端部や接合部を蓄光性シーリング材でシーリングすると、夜間の消灯時でも蓄光性シーリング材が発光して階段の全体形状や段の高さなどを比較的容易に認識できるため、誘導表示の役目を果たして安全性の向上に寄与するという利点がある。
【０００３】
また、階段用床材に限らず、例えば壁材と壁材との接合部（目地部）や、床材と巾木との接合部や、床材と床材の接合部などを蓄光性シーリング材でシーリングした場合も、上記と同様に誘導表示の役目を果たして安全性を向上させることができる。
【０００４】
このような誘導表示の役目を兼ねた蓄光性シーリング材として、例えば硫化亜鉛−銅系などの蓄光性顔料や蓄光性色素をシリコーン系などの主剤中に均等に含有させ、これをカートリッジやチューブに充填したものが知られている（例えば特許文献１参照）。
【０００５】
【特許文献１】
特開平１１−２１４８０号公報（第２−３頁）
【０００６】
【発明が解決しようとする課題】
上記のように蓄光性顔料などを均等に含有させた蓄光性シーリング材を用いて建築部材の端部や接合部をシーリングすると、シーリング部分（建築部材の端部や接合部や下地部分など）が白色である場合には、その光反射によって蓄光性シーリング材の蓄光性能や発光性能を充分に発揮できるけれども、シーリング部分が暗色である場合には、シーリング部分による光の吸収が多いため充分な蓄光性能や発光性能を発揮し難いという問題があった。
【０００７】
本発明は上記の問題に対処すべくなされたもので、その目的とするところは、シーリング部分が白色であろうとなかろうと、充分な蓄光性能及び発光性能を発揮して暗闇の中でも誘導表示の役目を果たすことができる、建築部材の端部又は接合部のシーリング構造と、これに用いる容器入りシーリング材を提供することにある。
【０００８】
【課題を解決するための手段】
上記目的を達成するため、本発明に係る建築部材の端部又は接合部のシーリング構造は、建築部材の端部又は接合部がシーリング材で被覆されたシーリング構造であって、上記シーリング材の露出表面の表層部に蓄光性発光体が含有されており、表層部より裏側部分に白色顔料が含有されていることを特徴とするものである。尚、本発明にいうシーリング材には、接着力を有する接着剤なども包含される。
【０００９】
このシーリング構造のように、建築部材の端部又は接合部を被覆するシーリング材の表層部に蓄光性発光体が含有され、表層部より裏側部分に白色顔料が含有されていると、表層部を透過した光が裏側部分の白色顔料によって反射されると共に、表層部の蓄光性発光体から出た発光の一部も裏側部分の白色顔料によって反射される。従って、この光の反射によって表層部の蓄光性発光体の蓄光作用や発光作用が助長されるため、シーリングされた建築部材の端部や接合部などが白色であろうとなかろうと、蓄光性発光体の残光時間や発光輝度が高くなり、暗闇の中で誘導表示の役目を充分に果たすことができるようになる。
【００１０】
また、本発明に係る容器入りシーリング材は、シーリング基材に蓄光性発光体を含有させた蓄光性発光体含有シーリング材と、シーリング基材に白色顔料を含有させた白色顔料含有シーリング材とが、一つの容器内で二つに又は二つの容器に区分けされて、一つのノズルから同時に押し出されるように詰められていることを特徴とするものである。
【００１１】
このような容器入りシーリング材は、シーリングすべき建築部材の端部又は接合部に対し、蓄光性発光体含有シーリング材が表面側となるように、蓄光性発光体含有シーリング材と白色顔料含有シーリング材を容器の一つのノズルから同時に押出して被覆するだけで、前述のシーリング構造を簡単に施工することができる。
【００１２】
【発明の実施の形態】
以下、図面を参照して本発明の具体的な実施形態を詳述する。
【００１３】
図１は本発明に係るシーリング構造の一実施形態を示す断面図、図２（ａ）は図１の円ａで囲んだ部分の拡大図、図２（ｂ）は図１の円ｂで囲んだ部分の拡大図、図３は図１のＡ−Ａ線断面図である。
【００１４】
この実施形態は、階段に貼着した階段用床材の端部のシーリング構造を例示したものであって、図１に示すように、前縁部を下方に９０°折曲した合成樹脂製の階段用床材１が階段２の各段の踏み面から蹴上げ面の上部に亘って貼着されている。この階段用床材１は、ポリエチレンやポリプロピレンなどのオレフィン系樹脂、或いは、ポリ塩化ビニルなどのビニル系樹脂を基材樹脂とし、必要に応じて充填材、可塑剤、着色剤、改質剤、強化剤等を配合することにより諸物性を改善した単層又は複層のシートからなるものである。この階段用床材１は、上面に多数の滑止め用突起１ａを形成することによって安全性が高められており、また９０°折曲されたコーナー部１ｂが昇降時の摩擦とストレスによって短期間で破損しないように、該コーナー部１ｂが厚肉に形成されている。
【００１５】
図２（ａ）に示すように、階段用床材１の後端面１ｃは、接着力を有するシーリング材３（接着剤）により被覆されてシーリングされている。即ち、階段用床材１の後端面１ｃと階段２の蹴上げ面２ａの下端部と踏み面２ｂの奥端部により形成された凹部に上記のシーリング剤３が充填され、階段用床材１の後端面１ｃがシーリングされている。
【００１６】
後端面１ｃを被覆する上記のシーリング材３は、露出表面の表層部３ａに蓄光性発光体が含有されると共に、この表層部３ａより裏側部分３ｂに白色顔料が含有されたものである。更に具体的に説明すると、このシーリング材３の表層部３ａは、ポリウレタン系、アクリル系、ポリサルファイド系、シリコン系、アクリルウレタン系、アクリルスチレン系などのシーリング基材中に、アルミン酸塩系の蓄光性発光体が含有された層であり、また、裏側部分３ｂは、上記のシーリング基材中に、酸化チタン、炭酸カルシウムその他の白色顔料が含有されたものである。
【００１７】
このようなシーリング材３で階段用床材１の後端面１ｃを被覆してシーリングすると、表層部３ａを透過した光が裏側部分３ｂの白色顔料によって反射されるため、表層部３の蓄光性発光体の蓄光作用が助長されると共に、表層部３ａの蓄光性発光体から出る光の一部も裏側部分３ｂの白色顔料によって反射されるため、蓄光性発光体の発光作用も助長されることになる。従って、シーリングされた階段用床材１の後端面１ｃが白色であろうとなかろうと、また、階段２の蹴上げ面２ａや踏み面２ｂが白色であろうとなかろうと、蓄光性発光体の残光時間や発光輝度が高くなり、暗闇の中でシーリング材３が誘導表示の役目を充分に果せるようになる。
【００１８】
シーリング材３の表層部３ａの厚さは０．５〜５ｍｍの範囲とすることが望ましく、０．５ｍｍよりも薄くなると、蓄光性発光体の含有量が不足するため、残光時間や発光輝度が低下するようになる。一方、表層部３ａの厚さが５ｍｍより厚くなると、光透過量が大幅に減少して、裏側部分３ｂの白色顔料による光の反射が弱くなるため、蓄光作用や発光作用の助長機能が発揮され難くなる。
シーリング材３の表面層３ａにおける蓄光性発光体の含有率は、１〜５０重量％の範囲とするのが適当であり、好ましくは２０〜３０重量％である。また、裏側部分における白色顔料の含有率は、１〜２０重量％の範囲とするのが適当であり、好ましくは３〜１０重量％である。
【００１９】
シーリング材３の表面層３ａには、アルミン酸塩系の蓄光性発光体に代えて、従来から汎用されている硫化物系の蓄光性発光体を含有させてもよいが、アルミン酸塩系の蓄光性発光体は硫化物系の蓄光性発光体に比べて残光時間や発光輝度が１０倍以上であるため、上記のようにアルミン酸塩系の蓄光性発光体を含有させることが好ましい。
【００２０】
アルミン酸塩系の蓄光性発光体としては、残光時間が長く、発光輝度が高く、耐光性及び耐候性が良好なアルミン酸塩系蓄光性発光体［根本特殊化学（株）製「Ｎ−夜光」（商品名）］を好適に用いることができる。このアルミン酸塩系蓄光性蛍光体は、一般式：ＭＡｌ２Ｏ４・ＸＫ・ＹＬ・ＺＰ（ここで、Ｍはカルシウム、バリウム、ストロンチウム、マグネシウム及びこれらの混合物からなる群れから選択された一種の金属、Ｘはユーロピウムからなる賦活剤、Ｙ及びＺはランタン系列元素並びにマンガン、スズ及びビスマスからなる群れから選択された賦活助剤、ＫはＭに対するモル％で０．００１〜１０、ＬはＭに対するモル％で０〜１０、ＰはＭに対するモル％で０〜１０である）で表されるものである。
【００２１】
上記の階段用床材１は、図１及び図２（ｂ）に示すように、９０°下方に折曲された前縁部の下端面１ｄも上記のシーリング材３により被覆されてシーリングされている。このシーリング材３は、上述したシーリング材３と同様に、露出表面の表層部３ａに蓄光性発光体が含有され、その裏側部分３ｂに白色顔料が含有されたものであって、白色顔料の光反射により蓄光性発光体の蓄光作用や発光作用が助長され、階段用床材１の下端面１ｄや階段の蹴上げ面２ａが白色であろうとなかろうと、蓄光性発光体の残光時間や発光輝度が向上するものである。
【００２２】
また、図３に示すように、この階段用床材１の巾方向両端面も、上記の蓄光性発光体を含んだ表層部と白色顔料を含んだ裏側部分から成るシーリング材３により被覆されてシーリングされており、このシーリング材３が暗闇の中で充分な輝度で発光できるようになっている。
【００２３】
以上のように、この階段用床材１を貼着した階段２は、階段用床材１の周縁端部が全て、上記の蓄光性発光体を含んだ表層部３ａと白色顔料を含んだ裏側部分３ｂから成るシーリング材３によってシーリングされているため、夜間の停電時などにシーリング材３が発光すると、階段の全体形状や段の高さなどを比較的容易に認識できるようになり、比較的安全に階段を昇降することが可能となる。
【００２４】
図４は本発明に係るシーリング構造の他の実施形態を示す断面図、図５は図４の円ｃで囲まれた部分の拡大図である。
【００２５】
この実施形態では、図４に示すように、階段２の各段の踏み面２ｂから蹴上げ面２ａの全体に亘って階段用床材１が貼着されており、図５に示すように、階段用床材１の後端と、一つ上段に貼着した階段用床材１の９０°下方へ折曲された前縁部の下端との接合部がシーリング材３により被覆されてシーリングされている。このシーリング材３も前述したシーリング材３と同じもので、蓄光性発光体を含んだ表層部３ａと白色顔料を含んだ裏側部分３ｂを備えており、白色顔料の光反射によって蓄光性発光体の蓄光作用や発光作用が助長されるため、階段用床材１の接合部が白色であろうとなかろうと、蓄光性発光体によってシーリング材３が充分な輝度でかなり長時間発光できるようになっている。
【００２６】
図６は本発明に係るシーリング構造の更に他の実施形態を示す断面図である。この実施形態では、合成樹脂製の床材４が床地面に並べて貼着されており、床材４，４相互の接合部に形成されたＶ字状の目地部に、上述の蓄光性発光体を含んだ表層部３ａと白色顔料を含んだ裏側部分３ｂからなるシーリング材３が充填されてシーリングされている。
【００２７】
このように床材４，４相互の接合部をシーリング材３でシーリングすると、上述したように白色顔料の光反射によって蓄光性発光体の蓄光作用や発光作用が助長され、床材４の接合部が白色であろうとなかろうと、蓄光性発光体によってシーリング材３が充分な輝度で発光するため、これを誘導表示として利用して安全に移動することが可能となる。
【００２８】
図７は本発明に係る容器入りシーリング材の一実施形態を示す断面図である。
【００２９】
この容器入りシーリング材３０は、図７に示すように、シーリング基材に蓄光性発光体を含有させた蓄光性発光体含有シーリング材３０ａと、シーリング基材に白色顔料を含有させた白色顔料含有シーリング材３０ｂとが、一つの容器３０ｃ内に区分けされて、該容器３０ｃの一つのノズル３０ｄから同時に押し出されるように詰められている。
【００３０】
シーリング基材としては、前述したポリウレタン系、アクリル系、ポリサルファイド系、シリコン系、アクリルウレタン系、アクリルスチレン系などのシーリング基材が好適に使用され、蓄光性発光体としては、前述したアルミン酸塩系のものなどが好適に使用され、白色顔料としては、前述した酸化チタンや炭酸カルシウムなどが好適に使用される。
【００３１】
蓄光性発光体含有シーリング材３０ａと白色顔料含有シーリング材３０ｂとの量的な比率は、体積比で１：１〜５：１の範囲内とすることが好ましく、且つ、蓄光性発光体含有シーリング材３０ａが容器３０ｃの内周の１／３〜３／４を占めるように区分けして容器３０ｃ内に詰めることが好ましい。蓄光性発光体含有シーリング材３０ａの量が白色顔料含有シーリング材３０ｂの量より少なくて、蓄光性発光体含有シーリング材３０ａが容器３０ｃの内周の１／３未満を占めるように区分けされて詰められる場合は、容器のノズルから双方のシーリング材３０ａ，３０ｂを同時に押し出して建築部材の段部又は接合部をシーリングしたのち余分のシーリング材を除去する際に、白色顔料含有シーリング材３０ｂが蓄光性発光体含有シーリング材３０ａと混ざって前述の表層部３ａが汚れるという不都合を生じる。一方、蓄光性発光体含有シーリング材３０ａの量が白色顔料含有シーリング材３０ｂの量の５倍より多くなって、蓄光性発光体含有シーリング材３０ａが容器３０ｃの内周の３／４以上を占めるように区分けされて詰められる場合は、建築部材の端部や接合部をシーリングする際に表層部３ａの厚みが大きくなり過ぎて光透過量が減少すると共に、白色顔料含有シーリング材３０ｂの量が少な過ぎて光反射により蓄光性発光体の蓄光作用や発光作用が十分助長されないため、暗闇での残光時間や発光輝度を向上させることが難しくなる。
【００３２】
容器３０ｃは一つのノズル３０ｄから蓄光性発光体含有シーリング材３０ａと白色顔料含有シーリング材３０ｂを同時に押し出すことが可能なものであればよく、従来からシーリング材の容器として汎用されている変形自在なチューブやカートリッジタイプのものがいずれも使用される。容器３０ｃが変形自在なチューブである場合には、蓄光性発光体含有シーリング材３０ａと白色顔料含有シーリング材３０ｂが混ざらないように仕切る仕切り板３０ｅを容器内に設けることが好ましいが、容器３０ｃが押出用のピストンによってシーリング材を押し出すカートリッジタイプのものである場合には、そのような仕切り板は不要であり、仕切り板がなくても双方のシーリング材３０ａ，３０ｂを混ざらないように同時に押し出すことができる。
【００３３】
上記のような容器入りシーリング材３０は、シーリングすべき階段用床材１や床材４や他の建築部材の端部又は接合部に対し、蓄光性発光体含有シーリング材３０ａが表面側となるように、蓄光性発光体含有シーリング材３０ａと白色顔料含有シーリング材３０ｂを容器３０ｃのノズルから同時に押出して被覆するだけで、前述の蓄光性発光体を含んだ表層部３ａと白色顔料を含んだ裏側部分３ｂから成るシーリング材３により建築部材の端部又は接合部をシーリングしたシーリング構造を簡単に施工することができる。
【００３４】
図８は本発明に係る容器入りシーリング材の他の実施形態を示す一部破断正面図である。
【００３５】
この容器入りシーリング材３１は、図８に示すように、一方の容器３１ａに前述の蓄光性発光体含有シーリング材３０ａを、他方の容器３１ｂに前述の白色顔料含有シーリング材３０ｂを、それぞれ区分けして詰め、共通の一つのノズル３１ｄから同時に押し出されるようにしたものである。
【００３６】
このようなカートリッジタイプの容器入りシーリング材３１は、二連式の専用の手動ガンやエアーガンを用いて、建築部材の端部又は接合部に対し、蓄光性発光体含有シーリング材３０ａが表面側となるように、蓄光性発光体含有シーリング材３０ａと白色顔料含有シーリング材３０ｂを共通のノズル３１ｄから同時に押出すだけで、前述のシーリング構造を簡単に施工することができる。
【００３７】
この容器入りシーリング材３１においても、各容器３１ａ，３１ｂの内容積を変える等の手段によって、蓄光性発光体含有シーリング材３０ａと白色顔料含有シーリング材３０ｂとの量的な比率を、前記と同様に体積比で１：１〜５：１の範囲内とすることが好ましい。また、二つの容器の組合わせやノズルの形状を選択することで、多様な蓄光性発光体含有シーリング材３０ａと白色顔料含有シーリング材３０ｂとの共押出しが可能になる。
【００３８】
以上、階段用床材１や床材４の端部又は接合部をシーリングする場合を例にとって、本発明に係る建築部材の端部又は接合部のシーリング構造を説明したが、本発明はこれに限定されるものではなく、壁材、天井材、巾木、窓枠その他の建築部材の端部又は接合部をシーリングする場合に全て適用可能であることは言うまでもない。
【００３９】
【発明の効果】
本発明の建築部材の端部又は接合部のシーリング構造は、シーリングされた建築部材の端部や接合部が白色であろうとなかろうと、シーリング材の裏側部分に含まれる白色顔料の光反射によって表層部に含まれる蓄光性発光体の蓄光作用や発光作用が助長され、シーリング材が蓄光性発光体によって充分な輝度で発光するため、暗闇の中でシーリング材が誘導表示の役目を果たして安全に誘導することができるといった効果を奏する。
【００４０】
そして、本発明の容器入りシーリング材は、シーリングすべき建築部材の端部又は接合部に対し、蓄光性発光体含有シーリング材が表面側となるように、蓄光性発光体含有シーリング材と白色顔料含有シーリング材を容器の一つのノズルから同時に押出して被覆するだけで、本発明のシーリング構造を簡単に施工できるといった効果を奏する。
【図面の簡単な説明】
【図１】本発明に係る建築部材の端部又は接合部のシーリング構造の一実施形態を示す断面図である。
【図２】（ａ）は図１の円ａで囲んだ部分の拡大図、（ｂ）は図１の円ｂで囲んだ部分の拡大図である。
【図３】図１のＡ−Ａ線断面図である。
【図４】本発明に係る建築部材の端部又は接合部のシーリング構造の他の実施形態を示す断面図である。
【図５】図４の円ｃで囲まれた部分の拡大図である。
【図６】本発明に係る建築部材の端部又は接合部のシーリング構造の更に他の実施形態を示す断面図である。
【図７】本発明に係る容器入りシーリング材の一実施形態を示す断面図である。
【図８】本発明に係る容器入りシーリング材の他の実施形態を示す断面図である。
【符号の説明】
１  階段用床材
１ｃ  階段用床材の後端面
１ｄ  階段用床材の下端面
２  階段
２ａ  蹴上げ面
２ｂ  踏み面
３  シーリング材
３ａ  シーリング材の表層部
３ｂ  シーリング材の裏側部分
３０，３１  容器入りシーリング材料
３０ａ  蓄光性発光体含有シーリング材料
３０ｂ  白色顔料含有シーリング材料
３０ｃ，３１ａ，３１ｂ  容器
３０ｄ，３１ｄ  ノズル
【図１】
2005068674.tif 000003
【図２】
2005068674.tif 000004
【図３】
2005068674.tif 000005
【図４】
2005068674.tif 000006
【図５】
2005068674.tif 000007
【図６】
2005068674.tif 000008
【図７】
2005068674.tif 000009
【図８】
2005068674.tif 000010